(57)【特許請求の範囲】
【請求項１】
巻き付けられた毛髪を加熱可能なロッドの周辺の、少なくとも一部を囲うように形成された囲い部と、
温風を発生させ、該温風を前記囲い部の内部に送るための温風発生機とを有しており、
前記ロッドに毛髪を巻き付けた状態で、前記ロッドにより毛髪を加熱するとともに、前記温風発生機から前記囲い部の内部に温風を送ることにより前記ロッドの周辺を加熱して、前記毛髪にウェーブを付与するパーマネントシステムであって、
施術対象者の頭部を冷却する頭部冷却器を有し、
前記頭部冷却器は、シート状の形状のシート形状部を有しており、
前記シート形状部には、前記ロッドに巻き付ける毛髪の毛束を挿通するための毛束挿通孔と、前記シート形状部の少なくとも一端から前記毛束挿通孔にわたって形成され、前記毛束挿通孔に前記毛束を引き入れるためのスリットとが設けられていることを特徴とするパーマネントシステム。
【請求項２】
前記ロッドによる毛髪の加熱温度は５５℃以上３００℃以下であり、前記ロッドの周辺の加熱温度は６１℃以上３００℃以下であることを特徴とする請求項１に記載のパーマネントシステム。
【請求項３】
前記囲い部は、上面および底面が開口されており、
前記囲い部の側面には、前記温風発生機からの温風を前記囲い部の内部に入れるための第一の送風孔と第二の送風孔とが設けられており、
前記第二の送風孔には、前記囲い部の側面内側に向けて連通管が連通して設けられており、
前記ロッドは、両端が開放されるとともに内部に中空部を有しており、前記ロッドの一端側が前記連通管に取り付けられ、
前記ロッドに毛髪を巻き付けた状態で、前記温風発生機から前記第二の送風孔および前記連通管を介して前記ロッドの前記中空部に温風が送ることにより、前記ロッドを加熱するとともに、前記第一の送風孔を介して前記囲い部の内部に温風を送ることにより前記ロッドの周辺を加熱することを特徴とする請求項１または請求項２に記載のパーマネントシステム。
【請求項４】
前記ロッドは、前記連通管と一体形成されることにより、予め取り付けられていることを特徴とする請求項３に記載のパーマネントシステム。
【請求項５】
前記ロッドは複数種類からなり、前記連通管に着脱自在に取り付けられることを特徴とする請求項３に記載のパーマネントシステム。
【請求項６】
前記ロッドは、一端から他端に向けて径が大きくなる先太形状を有することを特徴とする請求項３から請求項５のいずれか一項に記載のパーマネントシステム。
【請求項７】
前記囲い部は、上面および底面が開口されており、
前記囲い部の側面には、前記温風発生機からの温風を前記囲い部の内部に入れるための第一の送風孔が設けられており、
前記ロッドには、電流を流すことにより発熱するヒーターが内蔵されており、
前記ロッドに毛髪を巻き付けた状態で、前記ヒーターに電流を流すことにより、前記ロッドを加熱するとともに、前記第一の送風孔を介して前記囲い部の内部に温風を送ることにより前記ロッドの周辺を加熱することを特徴とする請求項１または請求項２に記載のパーマネントシステム。
【請求項８】
前記頭部冷却器は、冷却風を発生させるための冷却風発生機と、前記冷却風発生機と前記シート形状部とを連結する連結管とを有し、
前記頭部冷却器の前記シート形状部は、複数枚の耐熱シートと、前記耐熱シート間に挟持された複数本の細管とを有し、
前記シート形状部の端部には、前記細管に前記冷却風が流通可能なように前記連結管が取り付けられており、
前記冷却風発生機により発生された前記冷却風が、前記細管を通ることにより、前記施術対象者の頭部を冷却可能であることを特徴とする請求項１から請求項７のいずれか一項に記載のパーマネントシステム。
【請求項９】
前記頭部冷却器の前記シート形状部と前記囲い部とは、前記シート形状部で前記囲い部の開口底面を塞ぐように、一体的に形成されていることを特徴とする請求項３から請求項８のいずれか一項に記載のパーマネントシステム。
【請求項１０】
前記囲い部の開口底面を覆うための下蓋を有しており、
前記下蓋は、前記囲い部に取り付けるための取付口と、開閉可能に形成され、前記ロッドに巻き付ける毛髪の毛束を挿通するための毛束挿通口とを有することを特徴とする請求項３から請求項８のいずれか一項に記載のパーマネントシステム。
【請求項１１】
前記囲い部の開口上面を覆うための上蓋を有することを特徴とする請求項３から請求項１０のいずれか一項に記載のパーマネントシステム。
【請求項１２】
前記上蓋が、前記囲い部の上縁部に開閉可能に設けられていることを特徴とする請求項１１に記載のパーマネントシステム。
【発明の詳細な説明】
【技術分野】
【０００１】
本発明は、毛髪にパーマネントウェーブを施すパーマネントシステムに関し、特に、毛髪にアルカリ剤と還元剤を含むパーマネント第１剤を塗布し毛髪を軟化させた後、水洗し余分な水分を拭き取り、ロッドに毛髪を巻きつけ加熱処理することにより毛髪を乾燥させた後、酸化剤を含むパーマネント第２剤を塗布し毛髪の内部の結合を酸化固定することにより、毛髪にパーマネントウェーブを施す方法に用いるパーマネントシステムに関する。
【背景技術】
【０００２】
従来、毛髪のパーマ処理法は、いわゆるコールドパーマおよびホットパーマが代表的なものとして知られている。
【０００３】
コールドパーマは、頭部をシャンプーで洗浄した後、顧客の好みのヘアースタイルに合わせて、一定領域の毛髪を少量ずつの毛束に分けて、それぞれの毛束ごとにロットを巻き、アルカリ剤と還元剤を含む第１剤をロットに巻いた毛束に万遍なく行き渡るように塗布し、１０〜２０分放置して第１剤の毛髪への浸透を図り、毛髪内部の水素結合、イオン結合、シスチン結合を切ることでＣＭＣ（Ｃｅｌｌ ｍｅｍｂｒａｎｅ ｃｏｍｐｌｅｘ：細胞膜複合体）を柔らかいゴム状態にし、コルテックスが動ける環境を作った後、ロットを巻いた状態のまま、毛髪に塗布された第１剤を丹念に洗う。その後、第２剤を十分に塗布して５〜２０分放置し、毛髪内部のシスチン結合などを再結合させることで、毛髪がウェーブされた状態で固定される。その後、ロットを外し、水洗し、乾燥して仕上げる。
【０００４】
この方法では、第１剤塗布から第２剤塗布まで毛髪が濡れた状態での施術のため、毛髪を乾かした状態では、折角のウェーブが伸びてしまうという問題点があった。また、毛髪の第１剤による軟化とロッドによるカールの形成を同時に行うことから、髪の状態に合わせて、ロッド、薬剤、温度、時間の絶妙な設定が必須であるため、施術が困難であり、失敗も多いのが実情であるという問題点があった。また、コールドパーマにおいても、加熱によりカール形成の促進を行うことはあるが、４５℃が限界である。毛髪は、８０℃以下では熱によるタンパク質変性が起こらないため、コールドパーマではウェーブが長持ちしないという問題があった。
【０００５】
これに対してホットパーマは、頭部をシャンプーで洗浄した後、第１剤を塗布し、１０〜２０分放置して第１剤の毛髪への浸透を図った後に、水洗し、顧客の好みのヘアースタイルに合わせて、一定領域の毛髪を少量ずつの毛束に分けて、それぞれの毛束ごとにロットを巻き、ロッドを所定時間加熱し毛髪を乾燥させる。その後、第２剤を十分に塗布して５〜２０分放置し、毛髪内部のシスチン結合などを再結合させることで、毛髪がウェーブされた状態で固定される。その後、ロットを外し、水洗し、乾燥して仕上げる（例えば、特許文献１参照）。
【０００６】
また、第１剤を毛髪に塗布、浸透させ、水洗いした後に、カール用ヘアアイロンのロッド部に所定の毛束の毛髪を巻き付け、加熱乾燥させてヘアアイロンのロッド部から毛髪を外し、次の毛束をヘアアイロンのロッド部に巻き付けて加熱乾燥させることを繰り返し、ウェーブを施したい領域全ての毛髪にヘアアイロンをかけた後に、第２剤を塗布して放置し、水洗いし、乾燥して仕上げることも行われている（例えば、特許文献２参照）。
【０００７】
これらの方法によれは、還元された毛髪を加熱乾燥した後に、毛髪の内部結合を酸化固定するため、処理された毛髪のウェーブは、乾燥させても伸びず、且つ、ウェーブの保持期間も長いという長所がある。
【０００８】
しかしながら、ホットパーマでは、通常８０〜１３０ ℃の温度で乾燥処理が行われている。そして、ホットパーマでは、加熱により毛髪を乾燥させる必要があるが、従来の方式では、ロッドに巻かれた毛束のうちロッドから離れて外側に巻かれた毛髪は乾燥しにくいため、外側の毛髪が乾燥するまで、ある程度長い時間（１５分〜３０分程度）にわたって加熱する必要があるため、毛髪が傷みやすいという問題があった。ヘアアイロンを用いた場合は、加熱温度は１６０〜１８０ ℃と高温で、加熱時間は１分〜５分と短いため、ロッド部に巻かれる毛束が多いと、ロッド部から離れて外側に巻かれた毛髪は乾燥しにくく、均一で美しいカールが得られなくなるという問題があった。また、ロッド部に巻く毛束の量を少なくすると、全体の施術時間が長くなるという問題があった。
【０００９】
そこで、毛髪の損傷を低減するために、側面に空気吸引口を多数設けたロッドを使用し、ロッドの内側から空気を吸引するとともに、ロッドに巻かれた毛髪の外側から温風をあてることにより、乾燥温度を低く抑えたパーマネント方式が知られている（例えば、特許文献３，４参照）。
【００１０】
しかしながら、この方式では、乾燥温度が低いため、乾燥させるのに時間がかかる（１０分〜３０分程度）という問題があった。さらに、ロッドに巻き付ける毛束の量が多いと、ロッド表面近くに巻かれた内側の毛髪に熱が伝わりにくいので、良好なウェーブが付与されず、ロッドに巻き付ける毛束の量を少なくせざるを得ないため、施術時間が長くなるという問題があった。
【先行技術文献】
【特許文献】
【００１１】
【特許文献１】特開２００５−０６５９７５号公報
【特許文献２】特開２００２−３５６４１０号公報
【特許文献３】特開２００６−２１２２２２号公報
【特許文献４】特開２００７−０４４１７５号公報
【発明の概要】
【発明が解決しようとする課題】
【００１２】
そこで、本発明は、ロッドに毛髪を巻きつけ加熱処理をおこなうパーマネント方式において、短時間で良好なウェーブを付与することができるパーマネントシステムを提供することを目的とする。
【課題を解決するための手段】
【００１３】
上記課題を解決するために、本発明によるパーマネントシステムは、巻き付けられた毛髪を加熱可能なロッドの周辺の、少なくとも一部を囲うように形成された囲い部と、温風を発生させ、該温風を前記囲い部の内部に送るための温風発生機とを有しており、前記ロッドに毛髪を巻き付けた状態で、前記ロッドにより毛髪を加熱するとともに、前記温風発生機から前記囲い部の内部に温風を送ることにより前記ロッドの周辺を加熱して、前記毛髪にウェーブを付与するパーマネントシステムであって、施術対象者の頭部を冷却する頭部冷却器を有し、前記頭部冷却器は、シート状の形状のシート形状部を有しており、前記シート形状部には、前記ロッドに巻き付ける毛髪の毛束を挿通するための毛束挿通孔と、前記シート形状部の少なくとも一端から前記毛束挿通孔にわたって形成され、前記毛束挿通孔に前記毛束を引き入れるためのスリットとが設けられていることを特徴とする。
【００１４】
上述のパーマネントシステムにおいて、前記ロッドによる毛髪の加熱温度は５５℃以上３００℃以下であり、前記ロッドの周辺の加熱温度は６１℃以上３００℃以下であることが好ましい。
【００１５】
上述のパーマネントシステムにおいて、前記囲い部は、上面および底面が開口されており、前記囲い部の側面には、前記温風発生機からの温風を前記囲い部の内部に入れるための第一の送風孔と第二の送風孔とが設けられており、前記第二の送風孔には、前記囲い部の側面内側に向けて連通管が連通して設けられており、前記ロッドは、両端が開放されるとともに内部に中空部を有しており、前記ロッドの一端側が前記連通管に取り付けられ、前記ロッドに毛髪を巻き付けた状態で、前記温風発生機から前記第二の送風孔および前記連通管を介して前記ロッドの前記中空部に温風が送ることにより、前記ロッドを加熱するとともに、前記第一の送風孔を介して前記囲い部の内部に温風を送ることにより前記ロッドの周辺を加熱することが好ましい。
【００１６】
また、上述のパーマネントシステムにおいて、前記ロッドは、前記連通管と一体形成されることにより、予め取り付けられていてもよい。
【００１７】
また、上述のパーマネントシステムにおいて、前記ロッドは複数種類からなり、前記連通管に着脱自在に取り付けられてもよい。
【００１８】
上述のパーマネントシステムにおいて、前記ロッドは、先端に向けて径が大きくなる先太形状を有することが好ましい。
【００１９】
上述のパーマネントシステムにおいて、前記囲い部は、上面および底面が開口されており、前記囲い部の側面には、前記温風発生機からの温風を前記囲い部の内部に入れるための第一の送風孔が設けられており、前記ロッドには、電流を流すことにより発熱するヒーターが内蔵されており、前記ロッドに毛髪を巻き付けた状態で、前記ヒーターに電流を流すことにより、前記ロッドを加熱するとともに、前記第一の送風孔を介して前記囲い部の内部に温風を送ることにより前記ロッドの周辺を加熱するようにしてもよい。
【００２０】
さらに、前記頭部冷却器は、冷却風を発生させるための冷却風発生機と、前記冷却風発生機と前記シート形状部とを連結する連結管とを有し、前記頭部冷却器の前記シート形状部は、複数枚の耐熱シートと、前記耐熱シート間に挟持された複数本の細管とを有し、前記シート形状部の端部には、前記細管に前記冷却風が流通可能なように前記連結管が取り付けられており、前記冷却風発生機により発生された前記冷却風が、前記細管を通ることにより、前記施術対象者の頭部を冷却可能であることが好ましい。
【００２１】
さらに、上述のパーマネントシステムにおいて、前記頭部冷却器の前記シート形状部と前記囲い部とは、前記シート形状部で前記囲い部の開口底面を塞ぐように、一体的に形成されていてもよい。
【００２２】
また、上述のパーマネントシステムにおいて、前記囲い部の開口底面を覆うための下蓋を有しており、前記下蓋は、前記囲い部に取り付けるための取付口と、開閉可能に形成され、前記ロッドに巻き付ける毛髪の毛束を挿通するための毛束挿通口とを有することも好ましい。
【００２３】
また、上述のパーマネントシステムにおいて、前記囲い部の開口上面を覆うための上蓋を有することが好ましい。
【００２４】
前記上蓋は、前記囲い部の上縁部に開閉可能に設けられていてもよい。
【発明の効果】
【００２５】
本発明によるパーマネントシステムは、ロッドに巻き付けた毛髪の内側と外側の両方から加熱するため、ロッドに巻き付けた毛髪を短時間で乾燥させることができるため、短時間で良好なウェーブを付与することができる。
【図面の簡単な説明】
【００２６】
【図１】本発明の実施形態に係るパーマネントシステムの構成を模式的に示す斜視図である。
【図２】発明の実施形態に係るパーマネントシステムの構成を模式的に示す上面図である。
【図３】本発明の実施形態に係るパーマネントシステムの上蓋の構成を模式的に示す斜視図である。
【図４】本発明の実施形態に係るパーマネントシステムの頭部冷却器の構成を模式的に示す斜視図である。
【図５】本発明の実施形態に係るパーマネントシステムの使用方法を模式的に説明するための説明図であり、（Ａ）は毛束を毛束挿通孔に挿通させた状態を模式的に示す斜視図、（Ｂ）は毛髪をロッドに巻き付ける工程を模式的に示す斜視図、（Ｃ）はロッドに巻き付けた毛髪を内側と外側から加熱する工程を模式的に示す斜視図である。
【図６】本発明の実施形態に係るパーマネントシステムによる施術にあたり、使用可能な毛束把持具の使用方法を模式的に示す説明図であり、（Ａ）はブラシ間を開いた状態を模式的に示す斜視図、（Ｂ）はブラシ間髪で毛束を把持した状態を模式的に示す斜視図である。
【図７】本発明の実施形態に係るパーマネントシステムの別の使用方法を模式的に説明するための断面図である。
【図８】本発明の他の実施形態に係るパーマネントシステムの構成を模式的に示す斜視図である。
【図９】本発明のさらに他の実施形態に係るパーマネントシステムの構成を模式的に示す斜視図である。
【図１０】本発明のさらに他の実施形態に係るパーマネントシステムの構成を模式的に示す斜視図である。
【図１１】本発明のさらに他の実施形態に係るパーマネントシステムの構成を模式的に示す斜視図である。
【図１２】本発明の実施形態に係るパーマネントシステムの頭部冷却器の変形例の構成を模式的に示す斜視図である。
【発明を実施するための形態】
【００２７】
以下に、本発明の実施の形態について詳細に説明する。
【００２８】
（第１の実施形態）
本実施形態に係るパーマネントシステム１００は、図１および図２に示すように、巻き付けられた毛髪を加熱可能なロッド１の周辺を囲うように形成された囲い部２と、温風を発生させ、該温風を囲い部２の内部に送るための温風発生機３とを有しており、ロッド１に毛髪を巻き付けた状態で、ロッド１を加熱するとともに、温風発生機３から囲い部２の内部に温風を送ることによりロッド１の周辺を加熱して、毛髪にウェーブを付与するようになっている。
【００２９】
以下、各構成要素について、詳細に説明する。
【００３０】
［囲い部２］
本実施形態における囲い部２は、上面および底面が開口され、平面視において丸みを帯びた台形形状の筒状体２１を有している。また、筒状体２１は、一部の高さ（開口上面から開口底面までの長さ）が低く形成されていることが好ましい（図９、図１１など参照）。これにより、囲い部２内のロッド１に毛髪を巻き付ける作業がしやすくなる。なお、本実施形態においては、筒状体２１は平面視が丸みを帯びた台形形状としたが、これに限定されるものではなく、平面視円形や多角形状であってもよい。また、本実施形態においては、囲い部２は、ロッド１の周囲周辺を一周囲うような筒状体２１としたが、後述の実施形態における囲い部２のように、筒状体２１の一部を切り欠いた形状としてもよい（図１０参照）。
【００３１】
筒状体２１の材質としては、特に限定されるものではないが、ステンレスなどの耐腐食性に優れる金属や、耐熱性を有する硬質の合成樹脂を用いることができる。また、筒状体２１の大きさは、特に限定されるものではないが、囲い部２内の面積が小さすぎると、ロッド１に毛髪を巻き付ける際の作業性が悪くなり、囲い部２内の面積が大きすぎると、囲い部２内を加熱して毛髪を乾燥させる際の乾燥効率が悪くなるため、平面視における最大幅が７ｃｍ〜１５ｃｍ程度であることがこのましい。
【００３２】
筒状体２１の両端部、すなわち開口上面および開口下面の周縁部には、囲い部２内が加熱され、筒状体２１が熱を帯びた際に触れたときに火傷などをすることのないよう、保護部材２２が設けられている。保護部材２２は、耐熱性および断熱性を有する耐熱性の高い樹脂やゴム、シリコーン樹脂などにより形成されている。
【００３３】
囲い部２の筒状体２１の側面には、温風発生機３からの温風を囲い部２の内部に入れるための第一の送風孔２３と第二の送風孔２４とが設けられている。第一の送風孔２３は、筒状体２１側面の開口上面近傍に所定の間隔で２つ設けられている。第二の送風孔２４は、２つの第一の送風孔２３の間の領域の下方、筒状体２１側面の開口下面近傍に設けられている。また、第二の送風孔２４の側方近傍には、ロッド１に巻き付けられた毛髪をロッド１に対して押圧して、毛髪が巻き付けられた状態を保持させる押圧部４を手元で操作するための操作棒５を挿通させる挿通孔２５が設けられている。
【００３４】
また、囲い部２は、施術対象者の頭部Ｈからロッド１までの距離を調整するための調整部材を有していてもよい。調整部材は、筒状体２１と同一の平面形状の筒状の形状を有し、筒状体２１の下部に着脱自在に取り付けられる。調整部材は、複数の高さのものを備えることで、髪型に応じてきめ細やかに調節することができる。高さは、例えば１．５ｃｍ、３ｃｍ、５ｃｍ、７ｃｍ、１０ｃｍとすることが好ましい。
【００３５】
［ロッド１］
囲い部２の筒状体２１に設けられた第二の送風孔２４には、囲い部２の側面内側に向けて連通管６が連通して設けられており、連通管６にはロッド１の一端側が連通して一体的に設けられている。連通管６は囲い部２の側面に対して略垂直に設けられており、ロッド１は連通管６に対して略垂直に囲い部２の開口上面へ向けて設けられている。
【００３６】
連通管６は、中空の細径管により形成されている。ロッド１は、中空円筒形状を有しており、一端から他端に向けて径が大きくなる先太形状となっている。なお、本実施の形態においては、ロッド１は、一端から他端に向けて径が大きくなる先太形状となっているが、一端から他端まで一定の大きさの径で形成してもよい。ロッド１の大きさは、特に限定されるものではないが、長さが１０ｍｍ以上４００ｍｍ以下であることが好ましい。また、径が３ｍｍ以上２５ｍｍ以下であることが好ましく、付け根の細径部の径が４ｍｍ以上１５ｍｍ以下、先端の太径部の径が１５ｍｍ以上２５ｍｍ以下であることがさらに好ましい。
【００３７】
連通管６の材質としては、特に限定されるものではないが、特に限定されるものではないが、銅や錫、アルミニウム、ステンレスなど熱伝導率の高い金属であることが好ましい。ロッド１の材質としては、特に限定されるものではないが、銅や錫、アルミニウム、ステンレスなど熱伝導率の高い金属であることが好ましい。耐腐食性と強度、熱伝導率に優れたステンレスを用いることが特に好ましい。連通管６とロッド１とは、同じ材料で形成してもよいし、異なる材料で形成してもよい。
【００３８】
本実施形態においては、ロッド１は連通管６に連通して一体的に設けるようにしたが、例えば、長さ３０ｍｍのものと４０ｍｍのものと７０ｍｍのものなどのように、複数種類のロッド１を着脱自在に連通管６に取り付けるようにしてもよい。また、交換可能なロッド１の種類は、ロッド１の長さのみに限らず、テーパー形状の有無、テーパーの度合いなどであってもよい。このように複数種類のロッド１を備えることで、顧客の髪型などに応じたロッド１を適宜選択して取り付けることができる。
【００３９】
本実施形態においては、ロッド１は連通管６に連通して一体的に設けるようにしたが、ロッド１をベアリングを介して連通管６に取り付けてもよい。このようにすれば、ロッド１に巻き付けられた毛髪を取り外す際に、グリップ部３２を持ち上げるだけで、ロッド１が回転して、毛髪が容易にロッド１から外れる。なお、この場合、ロッド１に毛髪を巻きつける際にロッド１が回転しないように連通管６に固定するために、ネジなどのロック機構を設けてもよい。
【００４０】
［温風発生機３］
温風発生機３は、温風ノズル３１とグリップ部３２と空気供給ホースおよび制御線が内挿されたコード３３と図示しないコントローラとを有する。
【００４１】
温風ノズル３１はグリップ部３２の先端に設けられており、温風ノズル３１内には、セラミックヒータと空気供給ホースと温風ノズル３１内の温度を測定する温度センサとが内蔵されている。温風ノズル３１の後端から引き出されたセラミックヒータの通電線および温度センサのリード線は制御線として集合され、空気供給ホースとともに、グリップ部３２内に収納されている。空気供給ホースおよび制御線は、コード３３としてグリップ部３２の後端から引き出され、それぞれコントローラに接続されている。なお、温度センサは、温風ノズル３１内ではなく、囲い部２内に設置するようにしてもよい。
【００４２】
コントローラには、空気流量調整器、空気流量計、ヒーター出力切換器およびエアポンプが内蔵されており、温度センサの信号を入力としてセラミックヒータへの通電量をフィードバック制御するとともにエアポンプからの空気供給量のフィードバック制御をするようになっている。
【００４３】
温風発生機３は、エアポンプからの空気を空気供給ホースで温風ノズル３１まで供給するとともに、セラミックヒータを加熱することにより、温風ノズル３１内で空気を加熱して温風として、温風ノズル３１から送り出す。温風ノズル３１から送り出される温風の温度や流量は、コントローラで調節可能であり、温風の温度は６１℃以上３００℃以下、流量は０．１ｍ３/ｍｉｎ以上１．４ｍ３/ｍｉｎ以下に調整可能とされている。
【００４４】
温風発生機３の温風ノズル３１の先端は、３つに分岐しており、２つは囲い部２の第一の送風孔２３に接続されており、１つは囲い部２の第二の送風孔２４に接続されている。これにより、ロッド１およびロッド１の周辺を加熱することができる。このとき、温風ノズル３１の分岐する管の数や太さ、第一の送風孔２３の数や大きさ、第二の送風孔２４大きさ、さらには連通管６やロッド１の材質等を選択することにより、ロッド１の加熱温度とロッド１の周辺を加熱温度に差を設けることもできる。
【００４５】
ロッド１の加熱温度は５５℃以上３００℃以下であることが好ましく、ロッド１の周辺の加熱温度は６１℃以上３００℃以下であることが好ましい。さらに、ロッド１の加熱温度は６０℃以上１６０℃以下であることが好ましく、ロッド１の周辺の加熱温度は７０℃以上２００℃以下であることが好ましい。加熱温度が低いと、毛髪が熱変性されないため、良好で保持期間の長いウェーブを得ることができない。加熱温度が高すぎると、毛髪が傷んでしまう。また、ロッド１には直接毛髪が触れるため、ロッド１の加熱温度は、ロッド１の周辺の加熱温度よりも低く設定することが好ましい。
【００４６】
なお、本実施形態においては、温風ノズル３１は先端のみを分岐し、セラミックヒータで温められた温風を分岐させるようにしたが、第一の送風孔２３に接続する温風ノズルと、第二の送風孔２４に接続する温風ノズルとを別々に設け、それぞれにセラミックヒータと空気供給ホースを内蔵するようにし、それぞれのセラミックヒータの加熱温度や空気の供給量等を制御するようにしてもよい。このようにすれば、より精度よくロッド１の加熱温度とロッド１周辺の加熱温度を制御することができる。
【００４７】
［押圧部４］
本実施形態おけるパーマネントシステム１００は、ロッド１に巻き付けられた毛髪をロッド１に対して押圧して、毛髪がロッド１に巻き付けられた状態を保持させる押圧部４を有している。押圧部４は、円筒形状を有しており、耐熱性の高い樹脂やゴム、シリコーン樹脂などにより形成することができる。押圧部４の一端には、押圧部４のロッド１に対する押圧を加えたり解除したりする操作を行うための操作棒５が設けられている。操作棒５は、Ｌ字形状を有しており、アルミニウムやスチールなどの金属や、耐熱性を有する硬質の合成樹脂などにより形成することができる。なお、操作棒５の押圧部４側とは反対側の端部は、操作しやすいように折り返された形状となっている。
【００４８】
操作棒５は、囲い部２に形成された挿通孔２５に挿通されるとともに、グリップ部３２に板バネなど弾性体を介して保持されている。操作棒５は、弾性体の弾性力でグリップ部３２から離れる方向へ付勢された状態で、取り付けられており、このとき押圧部４は、ロッド１を押圧した状態となっている。そして、操作棒５を弾性体の弾性力に抗してグリップ部３２側へ押下することにより、ロッド１に対する押圧部４の押圧が解除されて、ロッド１と押圧部４との間に空隙ができ、操作棒５のグリップ部３２側への押下を解除することにより、押圧部４が元の状態へ戻るようになっている。
【００４９】
なお、本実施の形態においては、押圧部４は円筒形状としたが、ロッド１の周面に沿うような湾曲面を有する板状形状としてもよい。また、本実施の形態においては、押圧部４は、ロッド１の一側方に１つ設けるようにしたが、複数設けてもよい。また、本実施の形態においては、押圧部４を備えるようにしたが、必ずしも備えなくてもよく、この場合は、シングルピンやダブルピンなどで、毛髪が巻き付けられたロッド１の上端部の内側と外側から挟持させることにより、毛髪がロッド１に巻き付けられた状態を保持させてもよい。
【００５０】
［上蓋７］
本実施形態おけるパーマネントシステム１００は、図３に示すように、囲い部２の開口上面を覆うための上蓋７を有することが好ましい。上蓋７は、筒状にした耐熱性の高い樹脂シートの一端側を閉じて形成されており、開口部には、上蓋７を囲い部２に対して固定するための、バネばさみ７１からなる固定手段が設けられている。
【００５１】
上蓋７は、上述のような構成に限らず、耐熱性の高い硬質樹脂を、一端が閉塞された円筒形状や多角筒体、あるいはドーム形状に成形したものであってもよい。この場合、囲い部２の所定の位置に溝を設け、この溝に係止可能な係止片を上蓋７の所定の位置に設けるようにしてもよい。これにより、上蓋７を囲い部２に固定することができる。
【００５２】
上蓋７を設けなくても、ロッド１の周辺の加熱温度を高めたり温風の流量を大きくしたりすることにより、短時間で毛髪を乾燥させることができるが、より効率よく毛髪を乾燥させるためには、上蓋７を使用することが好ましい。
【００５３】
［頭部冷却器８］
また、本実施形態おけるパーマネントシステム１００は、図４に示すように、施術対象者の頭部Ｈ（図５参照）を冷却する頭部冷却器８を有することが好ましい。頭部冷却器８は、シート状の方形状のシート形状部８１と、冷却風を発生させ、該冷却風をシート形状部８１へ送るための冷却風発生機（図示しない）と、冷却風発生機からの冷却風を送るための連結管８７とを有している。なお、本頭部冷却器８は、本明細書に記載のパーマネントシステム１００のみならず、ホットパーマにおいて毛束ｈごとに毛髪をロッド１に巻き付けて加熱乾燥させる場合であって、施術対象者の頭皮を熱から守る必要がある場合にも、使用することができる。
【００５４】
本実施形態においては、シート形状部８１は、耐熱性が高い樹脂からなる２枚の耐熱シート８２の間に耐熱性が高い樹脂からなる細径の円筒状の細管８３が複数挟持されてなる。耐熱シート８２および細管８３は可撓性を有することが好ましい。これにより、シート形状部８１を施術対象者の頭部Ｈに沿って配置させることができ、施術対象者の頭部Ｈを効率よく冷却することができる。
【００５５】
シート形状部８１は、一辺と該一辺に対向する辺の中央部に形成された連結管８７の取り付け口の部分を除いて、２枚の耐熱シート８２の端部が互いに接着されており、密封されている。シート形状部８１の中央部には、ロッド１に巻き付ける毛髪の毛束ｈを挿通するための毛束挿通孔８４が形成されている。また、シート形状部８１には、上記一辺、すなわち、連結管８７の取り付け口が設けられた辺と対向する辺の中央部から毛束挿通孔８４にわたってスリット８５が形成されている。スリット８５は、温風が直接頭部Ｈに当たる部分をできるだけ少なくするために、幅が狭い方が好ましい。毛束挿通孔８４およびスリット８５の部分の２枚の耐熱シート８２の端部も、互いに接着されていることが好ましい。
【００５６】
細管８３は、シート形状部８１のスリット８５が設けられた側の端部近傍から連結管８７の取り付け口側の端部からやや離れた位置までの領域にわたって、スリット８５と平行に配置されている。連結管８７の取り付け口側の端部近傍には細管８３が配置されないことにより、連結管８７の取り付け口から流入した冷却風が、シート形状部８１の幅方向すなわち送風方向と直行する方向に均一に行き渡るようにするための冷却風拡散部８６が形成されている。
【００５７】
なお、本実施の形態においては、シート形状部８１には、２枚の耐熱シート８２を使用したが、３枚以上の耐熱シート８２を使用し、各耐熱シート８２間に細管８３を配置してもよい。また、細管８３は円筒状に限られず、多角筒状であってもよい。
【００５８】
冷却風発生機としては、コンプレッサ、熱交換器およびファンモータを有し、コンプレッサおよびファンモータの駆動により熱交換器で冷却した空気を送風する冷却風発生機を使用することができる。また、必ずしも空気を積極的に冷却する必要はなく、清涼感が得られる程度の流量で空気を送風できるものを冷却風発生機として使用してもよく、例えば、公知のヘアドライヤーの冷風運転を用いることもできる。また、連結管８７をコントローラ内のエアポンプの吸気口に接続し、エアポンプから空気供給ホースに空気を供給する際の吸気により、シート形状部８１内の細管８３の連結管８７とは反対側の端部から大気を吸い込むことで、細管８３内に空気を流通させ、頭部Ｈを冷却するようにしてもよい。
【００５９】
［下蓋９］
本実施形態おけるパーマネントシステム１００は、図７に示すように、囲い部２の開口下面を覆うための下蓋９を有することが好ましい。下蓋９は、筒状にした耐熱性の高い樹脂シートからなり、筒状の樹脂シートの第一の開口部は、下蓋９を囲い部２に取り付けるための取付口とされており、取付口には、下蓋９を囲い部２に対して固定するための、バネばさみ９１からなる固定手段が設けられている。筒状の樹脂シートの第二の開口部の内側には挟持部９２とコイルばね（図示しない）とつまみ部９３とからなるクリップ９４が設けられ、クリップ９４の挟持部９２が閉じられた状態では、樹脂シートの第二の開口部が閉じられた状態になるようになっており、これにより、ロッド１に巻き付ける毛髪の毛束ｈを挿通するための毛束挿通口が形成されている。すなわち、クリップ９４のつまみ部９３をコイルばねの弾性力に抗して押すことにより挟持部９２が開き、これに伴って樹脂シートの第二の開口部が開き、開いた第二の開口部からロッド１に巻き付ける毛束ｈを引き入れることができるようになっている。
【００６０】
［変形例］
本実施形態においては、囲い部２の筒状体２１は一重構造としたが、囲い部２の筒状体２１を二重構造とし、内側の筒状体の周面全域に複数の通風孔を設け、外側の筒状体のみに温風発生機３からの温風を囲い部２の内部に入れるための第一の送風孔２３を設け、温風発生機３からの温風を外側の筒状体と内側の筒状体との間に送るようにしてもよい。これにより、外側の筒状体と内側の筒状体との間に送られた温風が、内側の筒状体の周面全域の通風孔から内側の筒状体内へ入るため、ロッド１に巻き付けられた毛髪により均一に温風を当てることができる。
【００６１】
本実施形態においては、ロッド１は中空円筒形状としたが、ロッド１の側周面に複数の通風孔を設けるとともにロッド１の先端を閉塞面としてもよい。これにより、ロッド１に巻かれた状態の毛髪に対して、温風を内側からも外側からも当てることができるため、毛髪をより効率よく乾燥させることができる。また、ロッド１に巻かれた状態の毛髪の内側も温風を当てるので、加熱されたロッド１自体の熱で乾燥させる必要がないため、熱伝導率がそれほど高くない材質で形成することもできる。
【００６２】
パーマネントシステム１００は、蒸気発生装置やミスト発生装置をさらに備え、囲い部２内および／またはロッド１へ蒸気やミストを供給するようにしてもよい。さらに、囲い部２内に湿度センサを設け、囲い部２内の湿度に応じて上記やミストを供給するように蒸気発生装置やミスト発生装置を制御してもよい。また、ロッド１や囲い部２内を加熱して所定の時間が経過し、湿度が０〜５％以下となったときに、毛髪の乾燥を報知するブザーや点灯ライトを備えるようにしてもよく、さらに温風の供給を自動的に停止させるようにしてもよい。また、湿度センサを湿度計とし、目視で湿度を確認できるようにすることも好ましい。
【００６３】
また、本実施形態においては、ロッド１内へ温風を送ることによりロッド１を加熱するようにしたが、ロッド１内にヒーターを設け、ヒーターに電流を流すことにより、ロッド１を加熱するようにしてもよい。
【００６４】
また、本実施形態では、温風発生機３として、温風ノズル３１とグリップ部３２と空気供給ホースおよび制御線が内挿されたコード３３とコントローラとを有する温風発生機３を用い、温風ノズル３１内のセラミックヒータでコントローラから供給された空気を加熱するようにしたが、コントローラで予め加熱された温風を空気供給ホース、グリップ部３２および温風ノズル３１を介して囲い部２内へ送るようにしてもよい。この場合、温風ノズル３１内にはセラミックヒータを設ける必要はなく、通電線も必要ない。また、この場合、コントローラに換えて、公知のヘアドライヤーを用いることができ、ヘアドライヤーの吹き出し口を空気供給ホースに接続し、ヘアドライヤーの温風運転により温風を供給するとよい。さらなる変形例としては、グリップ内に、モーターやファン、ヒーターといった公知のヘアドライヤーの構成を備えるようにしてもよい。
【００６５】
［使用方法］
次に、本実施形態によるパーマネントシステム１００の使用方法について説明する。まず、施術対象者の頭部Ｈをシャンプーで洗浄した後、第１剤を塗布し、１０〜２０分放置して第１剤の毛髪への浸透を図り、毛髪内部の水素結合、イオン結合、シスチン結合を切ることでＣＭＣ（Ｃｅｌｌ ｍｅｍｂｒａｎｅ ｃｏｍｐｌｅｘ：細胞膜複合体）を柔らかいゴム状態にし、コルテックスが動ける環境を作った後、毛髪に塗布された第１剤を丹念に洗う。
【００６６】
その後、図５（Ａ）に示すように、ロッド１に巻き付ける毛束ｈを取り、頭部冷却器８のスリット８５に沿って毛束ｈを毛束挿通孔８４に導くように、頭部冷却器８を移動させ、毛束ｈを頭部冷却器８の毛束挿通孔８４に挿通させる。
【００６７】
次に、図５（Ｂ）に示すように、囲い部２の下方から上方へ毛束ｈを引き入れる。そして、押圧部４の操作棒５をグリップ部３２側へ押下することにより、押圧部４のロッド１に対する押圧を解除し、ロッド１と押圧部４との間に空隙を作る。そして、毛髪をロッド１の周囲に、ロッド１の下方から上方へ向けて巻き付けていく。
【００６８】
このとき、図６に示すような毛束把持具Ｇを用いて、毛束ｈをロッド１に巻き付けると、毛髪に均一にテンションがかかり、毛髪をロッド１に上手く巻きつけることができる。毛束把持具Ｇは、図６に示すように、把持部ｇ１と把持部ｇ１の先端に突出形成された棒状部ｇ２とを有し、棒状部ｇ２の先端には目玉クリップｇ３が設けられている。目玉クリップｇ３の挟持部ｇ４には、連結部ｇ５を介してブラシｇ６がそれぞれ設けられている。これにより、毛束把持具Ｇは、図６（Ａ）に示すように、目玉クリップｇ３のつまみを押すことにより、２つのブラシｇ６間が開き、図６（Ｂ）に示すように、この間に毛髪を配置して目玉クリップｇ３のつまみを放せば、ブラシｇ６間に毛髪が挟持される。その後、把持部ｇ１を操作して、ブラシｇ６を滑らせるように毛髪の先端方向へ移動させながら、ロッド１に毛髪を巻き付ければ、毛髪がきれいに整えられながらロッド１に巻き付けられる。なお、本例では、目玉クリップｇ３を用いてブラシｇ６間に毛髪を挟持させるようにしたが、これに限らず、手元で操作することによりブラシｇ６間の開閉を可能とする機構を用いてもよい。このような機構としては、洋鋏のように２枚の細長い金属板が支点を中心軸として重なり合う構造を用いることができ、２枚の金属板の一端部にそれぞれブラシを設け、他端部には操作者の指を掛けるためのリング形状部を形成するとよい。
【００６９】
毛髪をロッド１に巻き付け終えたら、図５（Ｃ）に示すように、操作棒５のグリップ部３２側への押下を解除することにより、押圧部４をロッド１に対して押圧させて、毛髪がロッド１に巻き付けられた状態を保持させる。そして、上蓋７のバネばさみ７１をつまんで開口部を拡張させ、上蓋７で囲い部２の開口上面を覆うようにして配置し、上蓋７のバネばさみ７１を囲い部２の上縁部で固定する。
【００７０】
この状態で、温風発生機３のコントローラのヒーター出力切換器や空気流量調整器を操作することにより、所望の流量の空気をエアポンプから排出させ、空気供給ホースを介して温風ノズル３１へ供給させる。空気は温風ノズル３１内のセラミックヒータで所望の温度に温められ温風となって、第一の送風孔２３から囲い部２内に供給され、第二の送風孔２４からロッド１内へ供給される。これにより、ロッド１が加熱されるとともに、ロッド１の周辺も加熱されるため、ロッド１に巻き付けられた毛髪の内側すなわちロッド１に近い側と、ロッド１に巻き付けられた毛髪の外側すなわちロッド１から離れた側との両側から、毛髪が温められ乾燥される。
【００７１】
コントローラでの温度設定は、ロッド１の加熱温度が、施術対象者の毛髪の質に応じて、５５℃以上３００℃以下となるように設定することが好ましく、ロッド１の周辺の加熱温度すなわち囲い部２内の温度が６１℃以上３００℃以下となるように設定することが好ましい。また、加熱時間は、３秒〜１８０秒であることが好ましい。空気の供給量は、ロッド１の周辺への温風の流量が０．１ｍ３/ｍｉｎ以上１．４ｍ３/ｍｉｎ以下となるように設定することが好ましい。この際、より毛髪の痛みを低減し、再現性の高い、艶のある美しいウエーブを形成するには、必要最小限加温で毛髪を乾燥させることが肝要であり、髪質により温度を低く設定せざるを得ないときは、温風の流量を上げて所定の時間内に毛髪が乾燥するように設定するとよい。さらに、より早く毛髪を加熱するため、あるいは、コルテックス内部のＳＳ結合の切断、タンパク質移動、タンパク質変性を固定するためには、加熱前または加熱初期に毛髪が必要最低限の水分量を含んで濡れている状態から乾燥させる必要があり、必要に応じて蒸気やミストを供給するとよい。
【００７２】
上述のようにして加熱乾燥させることにより、ロッド１に巻き付けることにより形成されたウェーブが付与された状態で、毛髪のタンパク質が熱により変性して固まる。このとき、毛髪が巻き付けられたロッド１の内側と外側の両方から加熱され、毛髪が短時間で均一に加熱されるため、毛髪を痛めることなく、均一で良好なウェーブが付与される。
【００７３】
なお、髪質などにより温風の温度を高くできる場合や、温風の流量を高くできる場合等、囲い部２の開口上面が開放されていても、所定の時間内に毛髪を十分に乾燥させることができれば、上蓋７を用いる必要はない。
【００７４】
ロッド１およびロッド１の周辺が加熱されているとき、頭部冷却器８の冷却風発生機で冷却風を発生させ、連結管８７を介してシート形状部８１内の細管８３へ供給する。冷却風は、細管８３の連結管８７側の端部から他方の端部へ流通し、シート形状部８１の連結管８７とは反対側の端部から排出されるため、細管８３には常に新しい冷却風が流通しており、これにより頭部冷却器８近傍の頭部Ｈが冷却される。その結果、囲い部２内に高温の温風が供給されていても、施術対象者が頭部Ｈに火傷をしたり、熱さで不快な思いをしたりすることを防止できる。
【００７５】
毛髪が乾燥した後に、上蓋７のバネばさみ７１をつまんで開口部を拡張させ、上蓋７を囲い部２から取外す。その後、毛髪を完全に乾燥させるため、あるいは、コルテックス内部のＳＳ結合の切断、タンパク質移動、タンパク質変性を必要以上に進ませないために、ヘアドライヤーの冷風運転などを用いて、ロッド１に巻き付けられて毛髪を冷却する。なお、温風発生機３は、セラミックヒータを加熱せずに、エアポンプから空気を供給できるようにしてもよく、この場合、ヘアドライヤーを用いなくても、エアポンプから空気を供給することにより、ロッド１内および囲い部２内に冷却風が供給されて、毛髪が冷却される。また、上述の変形例のように、グリップ内にモーターやファン、ヒーターといった公知のヘアドライヤーの構成を備えるようにした場合、手元のスイッチでヒーターによる加熱を行わない冷風運転に切り替えられるようにしておけば、手元でスイッチを切り替えるのみでロッド１に巻き付けられて毛髪を冷却することができる。
【００７６】
その後、操作棒５をグリップ部３２側へ押下することにより、押圧部４のロッド１に対する押圧を解除し、グリップウ３２を引き上げることにより毛髪をロッド１から外す。そして、頭部冷却器８を引き上げて毛髪を毛束挿通孔８４から出すか、スリット８５から出して、頭部冷却器８を外す。
【００７７】
その後、次の毛束ｈについて、上記工程を繰り返して、所定範囲の毛髪すべてにウェーブを付与した後、第２剤を十分に塗布して５〜２０分放置し、毛髪内部のシスチン結合などを再結合させることで、毛髪がウェーブされた状態で固定される。
【００７８】
上述の使用方法の例では、毛髪を根元近傍までロッド１に巻き付ける場合について説明したが、図７に示すように、毛髪が長い場合など、頭皮から離れた位置までしか毛髪をロッド１に巻き付けない場合は、頭部冷却器８を用いる必要はない。ただし、この場合は、図７に示すように、下蓋９を用いることが好ましい。下蓋９は、第二の開口部の内側に設けられたクリップ９４のつまみ部９３を樹脂シートの上からつまんでクリップ９４の挟持部９２を開くことにより第二の開口部を開き、毛髪を下蓋９内へ引き入れ、つまみ部９３を放すことによりクリップ９４の挟持部９２を閉じて第二の開口部を閉じる。そして、第一の開口部のバネばさみ９１をつまんで第一の開口部を拡張させ、下蓋９で囲い部２の開口下面を覆うようにして配置し、下蓋９のバネばさみ９１を囲い部２の下縁部で固定する。その後、毛髪を下蓋９側から囲い部２内へ引き入れ、上述の使用例と同様にして、ロッド１に巻き付け上蓋７をし、温風を送って、ロッド１およびロッド１の周辺を加熱する。
【００７９】
（第２の実施形態）
次に、本発明によるパーマネントシステムの他の実施の形態について、図８を参照して説明する。なお、図８において上記第１の実施形態と同じ符号を付した部材については、第１の実施形態と同様に構成することができる。
【００８０】
本実施形態に係るパーマネントシステム２００は、図８に示すように、囲い部２０２が、上面および底面が開口され、平面視において丸みを帯びた台形形状の筒状体を上面から底面に向かって切り分けたような第一の半筒状部２１２と第二の半筒状部２２２とを有している。第一の半筒状部２１２と第二の半筒状部２２２とは、それぞれの一端同士がヒンジ２０３を介して接続されており、第一の半筒状部２１２と第二の半筒状部２２２の他端側が開閉自在となっている。
【００８１】
第一の送風孔２３、第二の送風孔２４および挿通孔は、ヒンジ２０３の近傍を避けるため、第一の半筒状部２１２の中央部に設けられている。
【００８２】
囲い部２０２の下縁部には、頭部冷却器２８０のシート形状部２８１が、囲い部の開口下面を塞ぐように、設けられている。シート形状部２８１は、囲い部２０２を閉じた状態の平面形状と同様の形状を有しており、囲い部２０２を開いたときに、第一の半筒状部２１２側と第二の半筒状部２２２側とに分かれるように、２つのパーツにより形成されている。シート形状部２８１には、囲い部を閉じた状態において、シート形状部２８１の中央部に毛束挿通孔が形成されるように、切り欠き部２８４が設けられている。シート形状部２０１を構成する耐熱シート８２間には、細管８３がシート形状部２８１の開閉ラインと平行に、耐熱シート８２の一端部近傍から他端部近傍にわたって設けられている。ヒンジ２０３の近傍両側の耐熱シート８２間には、２つに分岐された連結管２８７の先端部がそれぞれ接続されている。連結管２８７が接続されていない側の耐熱シート８２の縁部は互いに接着されておらず、細管８３の一端側から送風された冷却風が他端側から排出されるようになっている。
【００８３】
なお、上記の例では、細管８３をシート形状部２８１の開閉ラインと平行に設けるようにしたが、開閉ラインと直行するように設けてもよい。この場合、囲い部２０２を閉じたときに、開閉ラインの両側で向かい合う細管８３同士が１本につながり、冷却風が開閉ラインで漏れ出ることのないように、耐熱シート８２および細管８３をある程度剛性のある材料で形成することが好ましい。そして、この場合、先端が分岐していない連結管８７を、細管８３端側の耐熱シート８２間中央部に設けることが好ましく、第二の送風孔２４の下方の耐熱シート８２間に設けることが好ましい。
【００８４】
なお、本実施形態においては、シート形状部２８１の形状は、囲い部２０２を閉じた状態の平面形状と同様の形状としたが、囲い部２０２の外側にはみ出すように大きくしてもよい。特に、連結管８７（２８７）を取り付ける側を囲い部の外側にはみ出すようにすれば、第一の実施形態におけるシート形状部８１と同様に、冷却風拡散部８６を設けることができる。
【００８５】
本実施形態に係るパーマネントシステム２００によれば、囲い部２０２が開閉自在とされているため、囲い部２０２を開くことにより、毛束ｈを囲い部２０２内へ引き入れる作業が容易になる。また、頭部冷却器２８０のシート形状部２８１が囲い部２０２に設けられており、囲い部２０２と連動してシート形状部２８１を開閉できるため、頭部冷却器２８０の頭部Ｈへの装着と毛束ｈの囲い部２０２内への引き込みを同時に行うことができ、作業を効率化できる。さらに、囲い部２０２の開口下面がシート形状部２８１で塞がれているため、図７のように、下蓋９を用いる必要がない。
【００８６】
（第３の実施形態）
次に、本発明によるパーマネントシステムの他の実施の形態について、図９を参照して説明する。なお、図９において上記第１の実施形態と同じ符号を付した部材については、第１の実施形態と同様に構成することができる。
【００８７】
本実施形態に係るパーマネントシステム３００は、図９に示すように、上蓋部３７０が、囲い部２１の上縁部の一部に、ヒンジ３０３を介して、開閉自在に取り付けられている。上蓋３７０は、囲い部２の開口上面縁部と対応した形状の開口を有する有底筒形状である。本実施形態においては、上蓋３７０は、囲い部２と同様の材料で構成することが好ましい。
【００８８】
（第４の実施形態）
次に、本発明によるパーマネントシステムの他の実施の形態について、図１０を参照して説明する。なお、図１０において上記第１の実施形態と同じ符号を付した部材については、第１の実施形態と同様に構成することができる。
【００８９】
本実施形態に係るパーマネントシステム４００は、図１０に示すように、囲い部４２０の筒状体４２１の側周面の一部に、毛束ｈを囲い部内４２０へ引き入れるための切り欠き部４２２が設けられている。切り欠き部４２２を設ける位置は、特に限定されるものではないが、グリップ部３２と対向する位置に設けることが、操作性をよくする観点から好ましい。
【００９０】
囲い部４２０の下縁部には、頭部冷却器４８０のシート形状部４８１が、囲い部４２０の開口下面を塞ぐように、設けられている。シート形状部４８１は、囲い部４２０の切り欠き部４２２がない状態の平面形状と同様の形状を有している。シート形状部４８１の中央部には毛束挿通孔８４が設けられており、シート形状部４８１端部における囲い部４２０の切り欠き部に対応する位置中央部から毛束挿通孔８４にわたって、スリット８５が設けられている。細管８３はスリット８５と平行に配置されている。スリット８５は、できるだけ幅が狭いほうが好ましい。ただ、スリット８５の幅を狭くすると、毛束ｈを毛束挿通孔８５へ引き入れにくくなるため、耐熱シート８２および細管８３は、可撓性の高い材料で構成することが好ましい。
【００９１】
スリット８５が設けられていない側の細管８３の端部の耐熱シート８２間中央部、すなわち第二の送風孔２４の下方の耐熱シート８２間には連結管８７が取り付けられている。
【００９２】
本実施の形態においては、ロッド１およびロッド１の周辺を加熱する際には、上蓋７で切り欠き部も覆うようにするとよい。
【００９３】
（第５の実施形態）
次に、本発明によるパーマネントシステムの他の実施の形態について、図１１を参照して説明する。なお、図１１において上記第１，第４の実施形態と同じ符号を付した部材については、第１，第４の実施形態と同様に構成することができる。
【００９４】
本実施形態に係るパーマネントシステム５００は、図１１に示すように、連結管５８７がグリップ部内５３２を通って、グリップ部５３２の後端部から引き出され、空気供給ホースおよび制御線とともにコード５３３に内挿されている。連結管５８７は、コントローラ内のエアポンプと接続されており、エアポンプから連結管５８７へ清涼感が得られる程度の流量で空気を送風することにより、冷却風が細管８３へ送られる。
【００９５】
なお、連結管５８７をコントローラ内のエアポンプの吸気口に接続し、エアポンプから空気供給ホースに空気を供給する際の吸気により、シート形状部４８１内の細管８３の連結管５８７とは反対側の端部から大気を吸い込むことで、細管内８３に空気を流通させ、頭部Ｈを冷却するようにしてもよい。
【００９６】
（頭部冷却器の変形例）
次に、本発明によるパーマネントシステムの頭部冷却器の変形例について、図１２を用いて説明する。本変形例においては、短い細管６８３が耐熱シート８２間にランダムに配置されている。本変形例においては、耐熱シート８２の外周縁を全て密封しないこともできるし、連結管８７の取り付け部分を除いて全て密封することもできる。全て密封した場合は、毛束挿通孔８４の周囲やスリット８５部分を密封しないことにより、これらの部分から排気または吸気するようにするとよい。
【００９７】
本発明によるパーマネントシステムは、上記実施形態に限定されるものではなく、各実施形態の構成や変形例の構成を適宜組み合わせたものであってもよい。
【符号の説明】
【００９８】
１００，２００，３００，４００，５００：パーマネントシステム
１：ロッド
２，２０２，４２０：囲い部
３：温風発生機
４：押圧部
６：連通管
７：上蓋
８：頭部冷却器
９：下蓋
【要約】
【課題】ロッドに毛髪を巻きつけ加熱処理をおこなうパーマネント方式において、短時間で良好なウェーブを付与することができるパーマネントシステムを提供する。
【解決手段】毛髪を加熱可能なロッド１の周辺の、少なくとも一部を囲うように形成された囲い部２と、温風を発生させ、囲い部２内に送るための温風発生機３とを有し、ロッド１により毛髪を加熱するとともに、温風発生機３から囲い部２の内部に温風を送ることによりロッド１の周辺を加熱して、毛髪にウェーブを付与するパーマネントシステム１００であって、施術対象者の頭部を冷却する頭部冷却器８を有し、頭部冷却器８は、シート形状部８１を有しており、シート形状部８１には、ロッド１に巻き付ける毛髪の毛束を挿通するための毛束挿通孔８４と、シート形状部８１の少なくとも一端から毛束挿通孔８４にわたって形成され、毛束挿通孔８４に毛束を引き入れるためのスリットと８５が設けられている。
【選択図】図５【図１】
0006021093.tif 000002
【図２】
0006021093.tif 000003
【図３】
0006021093.tif 000004
【図４】
0006021093.tif 000005
【図５】
0006021093.tif 000006
【図６】
0006021093.tif 000007
【図７】
0006021093.tif 000008
【図８】
0006021093.tif 000009
【図９】
0006021093.tif 000010
【図１０】
0006021093.tif 000011
【図１１】
0006021093.tif 000012
【図１２】
0006021093.tif 000013